(57)【要約】【課題】            動物等の食害防止機能を備えた播種から育苗，栽培，植栽に使用される植栽用ポットを提供する。【解決手段】        この考案の植栽用ポットは、上下貫通した開放端を有する生分解性素材よりなる筒状体の上端を軸心に対し直交方向に近い切口の加圧端４とし、下端を軸心方向に対し鋭角に交差する切口の差込端６とした。  また筒状体素材を竹材とした竹ポットとし、上端側外側を遮蔽された周壁３ａとし、下端側周壁３ｂに多数の根張り用の孔７を設けた。  さらに筒状体の中間部に節部２を介在させ内部の節部，下端側の外周面の表皮，節部より下部の外周面の表皮をそれぞれ切除した。【選択図】          図１
0003114416.tif 000002
【実用新案登録請求の範囲】
【請求項１】
上下貫通した開放端を有する生分解性素材よりなる筒状体の上端を軸心に対し直交方向に近い切口の加圧端（４）とし、下端を軸心方向に対し鋭角に交差する切口の差込端（６）とした植栽用ポット。
【請求項２】
筒状体素材を竹材とした竹ポットである請求項１の植栽用ポット。
【請求項３】
上端側外側を遮蔽された周壁（３ａ）とし、下端側周壁（３ｂ）に多数の根張り用の孔（７）を設けた請求項１又は２の植栽用ポット。
【請求項４】
筒状体の中間部に節部（２）を介在させ内部の節部を切除して上下貫通させた請求項２又は３の植栽用ポット。
【請求項５】
下端側の外周面の表皮を切除した請求項２，３又は４の植栽用ポット。
【請求項６】
節部より下部の外周面の表皮を切除した請求項４又は５の植栽用ポット。
【考案の詳細な説明】
【技術分野】
【０００１】
この考案は播種から育苗，栽培，植栽に使用される植栽用ポットに関する。
【背景技術】
【０００２】
従来の植栽用ポットとしては、竹等の腐蝕性素材からなる有底筒体であって、切り込み又は透孔等の脆弱部を設けることによって苗木を埋め込む際に、脆弱部でポットの周壁を分解した状態で苗木を植栽用ポットとともに埋め込むものが知られている（例えば、特許文献１参照。）。
【特許文献１】特開平１０−２９０６３３号公報（図１，２）
【考案の開示】
【考案が解決しようとする課題】
【０００３】
上記従来の植栽用ポットは、素材が竹材であるので腐植が進み、自然に消滅するものの、堅い土壌に埋め込む際には予め土壌にスコップ等によって植栽用ポットを埋めるための穴を掘る必要があった。
【０００４】
さらに切り込み７及び脆弱部Ｓを設けているために、金槌等のハンマーによって打ち込むこともできないほか、野山の植林したい場所にこの植栽用ポットを埋めた場合は、そのままでは動物によって種子又は苗木が食べられて植林作業が進まないという問題があった。
この考案はこれらの問題点を解決又は改善しようとするものである。
【課題を解決するための手段】
【０００５】
上記課題を解決するための本考案の植栽用ポットは、第１に、上下貫通した開放端を有する生分解性素材よりなる筒状体の上端を軸心に対し直交方向に近い切口の加圧端とし、下端を軸心方向に対し鋭角に交差する切口の差込端としたことを特徴としている。
【０００６】
第２に、筒状体素材を竹材とした竹ポットであることを特徴としている。
【０００７】
第３に、上端側外側を遮蔽された周壁とし、下端側周壁に多数の根張り用の孔を設けたことを特徴としている。
【０００８】
第４に、筒状体の中間部に節部を介在させ内部の節部を切除して上下貫通させたことを特徴としている。
【０００９】
第５に、下端側の外周面の表皮を切除したことを特徴としている。
【００１０】
第６に、節部より下部の外周面の表皮を切除したことを特徴としている。
【考案の効果】
【００１１】
以上のように構成される本考案の構造によると以下の効果を奏するものである。
（１）上部に加圧端を設けることによって金槌等のハンマーによって打ち込むことができるとともに、下部に差込端を設けることによって植栽する場所が堅い場合でも容易に植栽用ポットを差し込むことができる。上下に貫通しているので根が成長した土壌でも根の先端を周囲の土壌に伸ばすことができ、植栽用ポットの変更や除去の必要がない。
【００１２】
（２）筒状体の素材を竹材としたことによって、後に竹材は腐植によって消滅するので植栽用ポットを除去する必要がないほか、昨今増加傾向にある竹を有効に利用することができる。また筒状体の上端側を遮蔽された周壁とすることによって、植栽した際に内部の苗木やドングリ等の種子を動物等の食害から防ぐことができる。さらに下端側に多数の孔を設けたことによって、その孔を通して根張りが可能であるほか、周壁に設けられた多数の孔を通じて周囲の土壌とポット内部の土壌間の養分や水分の行き来が可能となる。
【００１３】
（３）筒状体の中間部に節部を介在させたことによって筒状体の強度を高めることができるほか、金槌等のハンマーによって打ち込む際に植栽用ポットが破壊されるのを防ぐ補強部となっている。
【００１４】
（４）種子から芽が出て根が成長するまでは植栽用ポットの下端側が根の保護をする構成であるが、一定の成長後は根張りが十分であれば植栽用ポットの必要がなくなる。したがって植栽用ポットの下端側の外周面の表皮を切除しておくことによって、該下端側が腐植し易くなり、根張りの妨げにもなり難い。
【００１５】
（５）節部より下部の外周を切除することによって、下端側の肉厚が薄くなるので植栽に際して容易に植栽用ポットを差し込むことができる。
【考案を実施するための最良の形態】
【００１６】
以下本考案の実施形態を図面に基づき説明する。図１は植栽用ポットの斜視図、図２は山地での使用状態を示す斜視図、図３は傾斜地での施工状態を示す側面図である。植栽用ポット１は孟宗竹等の竹材の節を含む筒状体であり、中間部の節部２を介して上端側の周壁３ａと下端側の周壁３ｂから構成されている。また植栽用ポット１の上端は軸心に対し略直交方向に輪切りされた加圧端４とし、下端側の周壁３ｂはその外周を鋭角に切除した差込端６として構成されている。
【００１７】
上端側の周壁３ａは外部から遮蔽された周壁であるのに対し、下端側の周壁３ｂには多数の根張り用の孔７が穿設されている。また節部２の内部の節（横隔壁）は切除され加圧端４から差込端６まで上下に貫通した植栽用ポットとして構成されている。さらに下端側の周壁３ｂの表皮は後に腐蝕し易いように切除されている。
【００１８】
次に上記構成による植栽用ポットの使用方法について説明する。図２に示すように植栽用ポット１を植栽したい場所に埋めるために、図１の矢印に示す方向から木ハンマー等で下端側の周壁３ｂが土中に埋まる位まで叩き込み又は圧入する。そして内部の土高さが節部２の位置になるように必要に応じて調整した後、ドングリ等の種子１１を植栽用ポットの中に入れ、覆土した後に枯葉等で覆っておく。
【００１９】
地上には遮蔽された周壁３ａのみが突出して現れている状態であるので、リスやシカ等の動物等に食べられる食害もなく種子は順調に成長し図２に示す苗木１２となる。また図３に示すように体型が小柄な傾向の畑ネズミなどは滑りやすい周壁３ａに阻止されて上部に上ることができないものであり、畑ネズミによる種子の食害を防ぐことができる。そしてネズミやモグラ等の動物の侵入を周壁３ｂによって保護された状態で、根は孔７や差込端６を通して根を延ばし土壌中に確実に根張りする。
【００２０】
数年経過後、土中に埋め込まれた周壁３ｂは腐蝕が進み、分解消滅する。上部の周壁３ａも野外の自然条件下で亀裂等を伴いながら分解され、肥料成分となり、木の成育に役立つことになる。
【００２１】
図４，図５は本考案の提案に先立って考案者等が考案した竹材利用のポットを示し、図４の植栽用ポット２１は孟宗竹等の竹材を輪切りにし、下端に節部２２を残し、上端を開放端としている。節部２２の内部の横隔壁は残して底部２３とするとともに、該底部２３の円周に沿って外皮を切除した円筒形状の周壁２４が設けられている。そして底部２３及び周壁２４には水分又は養分を通す多数の孔２６が穿設されている。
【００２２】
植栽用ポット２１は予め植栽用の孔を掘っておき、植栽用ポット２１を埋める。そして植栽用ポット２１の内部に上端部より２ｃｍほど残して鉢底石，土，腐葉土を入れ、ドングリ等の種子を置いてから、土や木葉を被せる。よってこの植栽用ポット２１は上部に遮蔽された周壁等を備えていないことから、鹿やリス，畑ネズミ等の動物による食害を防止する必要がない場所での使用に限られるものである。
【００２３】
図５に示す植栽用ポット３１は筒状の本体部３１ａと土台となる脚部３１ｂから構成されている。本体部３１ａは孟宗竹等の竹材を両端に節部３２を残して輪切りにし、節部３２，３２間の胴部３３の上部を切り抜いて平面視で略長方形の開口部３４を形成するとともに、胴部３３下部には多数の通水用の孔３６が穿設されている。
【００２４】
また土台となる脚部３１ｂは一定幅の竹材を円周の略半分で２つに割った構成となっており、上記本体部３１ａの左右両側の底部及び脚部３１ｂの上部（頂点側）を水平方向に切除し、本体部３１ａの左右両側の底部及び脚部３１ｂの上部に設けられた孔にピン３７等の接続具によって固定し、植栽用ポット３１を完成させる。
【００２５】
植栽用ポット３１の使用方法としては従来公知のプランターと同様に、胴部３３の内部にメッシュ状の砂止めを敷き、次に軽石等の砂利を敷き詰める。そして土を入れてから種子，苗木，球根等を植えて使用するものである。
【００２６】
以上のように構成される植栽用ポットは孟宗竹に限らず他の竹材を使用することも可能であるほか、杉やヒノキ等の間伐材を利用することもできる。また自然材料に限らず生分解性プラスチック材等の自然に消滅する部材を用いて作ることもできる。
【産業上の利用可能性】
【００２７】
本考案の植栽用ポットは、山地に樹木を増やすために植えた種子や苗木の保護だけでなく、庭園で使用することによっても食害防止機能を備えた植栽用ポットとして利用できるほか、竹製の植木鉢として利用することによって装飾品として活用することができる。
【図面の簡単な説明】
【００２８】
【図１】本考案の植栽用ポットを示す全体斜視図である。
【図２】本考案の植栽用ポットの山地での使用状態を示す斜視図である。
【図３】本考案の植栽用ポットの傾斜地での施工状態を示す側面図である。
【図４】本考案の植栽用ポットの第２実施形態を示す全体斜視図である。
【図５】本考案の植栽用ポットの第３実施形態を示す全体斜視図である。
【符号の説明】
【００２９】
１      植栽用ポット
２      節部
３ａ    周壁
３ｂ    周壁
４      加圧端
６      差込端
７      孔
【図１】
0003114416.tif 000003
【図２】
0003114416.tif 000004
【図４】
0003114416.tif 000005
【図５】
0003114416.tif 000006
【図３】
0003114416.tif 000007